(57)【特許請求の範囲】
【請求項１】
絶縁性ガスを封入した矩形容器内に主回路機器を収納し、前記矩形容器に収納された主回路機器を接続する母線を有するスイッチギヤにおいて、前記矩形容器の中央後面側に前記母線を配置するとともに、前記矩形容器の前面側開口部に着脱自在に取付けられて並設された第１および第２のベース部材を備え、前記第１のベース部材の前記矩形容器内に第１および第２の主回路機器を組付け、かつ、前記第２のベース部材の前記矩形容器内に第３および第４の主回路機器を組付けて、前記第１のベース部材に組付けられた前記第１および第２の主回路機器と前記第２のベース部材に組付けられた前記第３および第４の主回路機器とを前記母線に対し上下に上下対称形になるように配置するものであって、主回路ケーブル引込み口から遠い位置の前記矩形容器における中央部後面側外面部に配置され前記第１の主回路機器を介して前記第２の主回路機器に接続される第１のケーブル接続部と、前記主回路ケーブル引込み口から近い位置の前記矩形容器における中央部後面側外面部に配置され前記第４の主回路機器を介して前記第３の主回路機器に接続される第２のケーブル接続部とを設けるとともに、前記第１のケーブル接続部を前記母線より後方に延在した形状とし、かつ、前記第２のケーブル接続部の奥行寸法を前記母線の奥行寸法と同じにしたことを特徴とするスイッチギヤ。
【請求項２】
前記第１または第２の主回路機器および前記第３または第４の主回路機器における主回路部の上方または下方の少なくともいずれか一方および両側方を覆う固体絶縁物からなる絶縁ホルダを設けたことを特徴とする請求項１に記載のスイッチギヤ。
【請求項３】
矩形容器の前面側開口部に着脱自在に取付けたベース部材の前記矩形容器内に取付けた固体絶縁物からなる前記絶縁ホルダ内に、遮断器（ＣＢ），零相電圧検出器（ＺＰＤ），避雷器（ＳＡＲ），サージアブソーバ（ＳＡ）の内の少なくともいずれかの主回路部を配置したことを特徴とする請求項１または請求項２に記載のスイッチギヤ。
【請求項４】
矩形容器の前面側開口部に着脱自在に取付けたベース部材の前記矩形容器内に取付けた固体絶縁物からなる絶縁ホルダの母線に近い側に、断路器（ＤＳ），接地開閉器（ＥＳ），点検用切り離し装置（ＲＬ）または断路器（ＤＳ）と接地開閉器（ＥＳ）を組合せた３位置断路器（３Ｐ−ＤＳ）の内の少なくともいずれかを配置したことを特徴とする請求項１から請求項３までのいずれかに記載のスイッチギヤ。
【請求項５】
前記矩形容器は、前記矩形容器の後面側に母線を接続するブッシングを備えた母線室と、３位置断路器（３Ｐ−ＤＳ），断路器（ＤＳ），接地開閉器（ＥＳ），点検用切り離し装置（ＲＬ）および遮断器（ＣＢ）の少なくともいずれかの主回路機器を収納した機器室に区分し、前記母線室と前記機器室の間に区分ブッシングを介在していることを特徴とする請求項３または請求項４に記載のスイッチギヤ。
【発明の詳細な説明】
【技術分野】
【０００１】
この発明は、スイッチギヤ、特に、電力の送配電および受電設備に用いられるスイッチギヤに関するものである。
【背景技術】
【０００２】
従来技術では、容器の中央に容器を左右に貫通する母線を配置する構成が提示されている（例えば、特許文献１参照）。
【０００３】
【特許文献１】特開２００４−２１５３９２号公報（図６）
【発明の開示】
【発明が解決しようとする課題】
【０００４】
特許文献１に示されているスイッチギヤにおいては、容器の中央に容器を左右に貫通する母線を配置し、母線に対して上下に断路器（ＤＳ），遮断器（ＣＢ）および接地開閉器（ＥＳ）を配置し、遮断器（ＣＢ）は高さ方向が長くなるように構成されているので、スイッチギヤの高さ方向が長くなるという問題がある。
また、母線を配置している容器の後方側に機器が取付かないときには、母線を配置している容器の後方側のスペースを有効に利用できないために、スイッチギヤの集積効率を向上できないためにスイッチギヤの小形化に限界があるという問題があった。
【０００５】
この発明は、矩形容器の中央後面側の矩形容器外部に母線を配置することによって、矩形容器に母線を配置するときに比べて矩形容器の高さを低くすることができるとともに、矩形容器後方のスペースを有効に活用することができ、スイッチギヤ内の機器の集積効率を向上できて、スイッチギヤの小形化が達成できるスイッチギヤを得ようとするものである。
【課題を解決するための手段】
【０００６】
この発明に係るスイッチギヤでは、絶縁性ガスを封入した矩形容器内に主回路機器を収納し、前記矩形容器に収納された主回路機器を接続する母線を有するスイッチギヤにおいて、前記矩形容器の中央後面側に前記母線を配置するとともに、前記矩形容器の前面側開口部に着脱自在に取付けられて並設された第１および第２のベース部材を備え、前記第１のベース部材の前記矩形容器内に第１および第２の主回路機器を組付け、かつ、前記第２のベース部材の前記矩形容器内に第３および第４の主回路機器を組付けて、前記第１のベース部材に組付けられた前記第１および第２の主回路機器と前記第２のベース部材に組付けられた前記第３および第４の主回路機器とを前記母線に対し上下に上下対称形になるように配置するものであって、主回路ケーブル引込み口から遠い位置の前記矩形容器における中央部後面側外面部に配置され前記第１の主回路機器を介して前記第２の主回路機器に接続される第１のケーブル接続部と、前記主回路ケーブル引込み口から近い位置の前記矩形容器における中央部後面側外面部に配置され前記第４の主回路機器を介して前記第３の主回路機器に接続される第２のケーブル接続部とを設けるとともに、前記第１のケーブル接続部を前記母線より後方に延在した形状とし、かつ、前記第２のケーブル接続部の奥行寸法を前記母線の奥行寸法と同じにしたものである。
【発明の効果】
【０００７】
この発明によれば、スイッチギヤの機器の集積効率を向上できて、スイッチギヤの小形化が達成できるとともに、第１および第２のベース部材にそれぞれ複数組付けられた主回路機器に係る配置構成作業を容易に行え、しかも、母線と第１および第２のケーブル接続部の構成を改良することにより、小型化が達成できるばかりでなく、第１および第２のケーブル接続部によるケーブル接続の作業性を確保できるスイッチギヤを得ることができる。
【発明を実施するための最良の形態】
【０００８】
実施の形態１．
この発明による実施の形態１を図１に基づいて説明する。図１は実施の形態１におけるスイッチギヤの構成を示す側断面図である。
【０００９】
図１において、スイッチギヤ本体１は、ＳＦ６，乾燥空気，窒素，二酸化炭素などの絶縁性ガスを封入した矩形容器２の前面２ａの開口部に着脱自在に取付けたベース板３の矩形容器２内側に、断路器（ＤＳ）４および接地開閉器（ＥＳ）５ならびに遮断器（ＣＢ）６を組み付けできる絶縁ホルダ７を有しており、この絶縁ホルダ７は、矩形容器２の中央後方に配置した母線（ＢＵＳ）８に対して、上下に上下対称形に配置されている。
前記絶縁ホルダ７は、固体絶縁物からなり、スイッチギヤ本体１の前面側から見た断面は、略円筒形、略楕円筒形、または上下いずれかに開いたコの字形状の何れでも良く、図１では略円筒形の構造について示している。
前記絶縁ホルダ７の内面には遮断器（ＣＢ）６の主回路部分６ａを収納し、上下に配した絶縁ホルダ７の母線（ＢＵＳ）８側に、遮断器（ＣＢ）６と母線（ＢＵＳ）８の間を接離する断路器（ＤＳ）４と、遮断器（ＣＢ）６を接地する接地開閉器（ＥＳ）５を一体構造とした３位置断路器（３Ｐ−ＤＳ）９の主回路部９ａを配置している。
また、前記ベース板３には、３位置断路器（３Ｐ−ＤＳ）９，遮断器（ＣＢ）６用の操作装置６ｂ，９ｂを取付け、各遮断器（ＣＢ）６，３Ｐ−断路器（ＤＳ）９の主回路部６ａ，９ａと操作装置部６ｂ，９ｂはベース板３を気密に貫通した操作ロッド６ｃ，９ｃによって連結している。
さらに、接地開閉器（ＥＳ）５の接地端子５ｄは、前記ベース板３にベース板３と絶縁して気密に取付けて、矩形容器２の前面に導出している。なお、３位置断路器（３Ｐ−ＤＳ）９は、断路器（ＤＳ）機能側または接地開閉器（ＥＳ）機能側のみを使用することによって断路器（ＤＳ）または接地開閉器（ＥＳ）として使用することも可能である。
【００１０】
一方、矩形容器２の後面側２ｂには、高さ方向の中央に母線（ＢＵＳ）８を接続する母線接続用端子１０が矩形容器２と絶縁して気密に取付けられ、矩形容器２内の母線接続用端子１０は、母線（ＢＵＳ）８の上下に配置している前記３位置断路器（３Ｐ−ＤＳ）９の固定側端子９ｄにそれぞれ接続している。なお、複数の矩形容器２を並べて配置し、各々の矩形容器２の後方に突出した母線接続用端子１０は、母線（ＢＵＳ）８によって連通するように接続している。
また、矩形容器２の後面２ｂの母線（ＢＵＳ）８の上下には、矩形容器２内に配置した絶縁ホルダ７のそれぞれの後方に、主回路ケーブル１１を接続するケーブル接続用端子１２，１３が矩形容器２と絶縁して気密に取付けられ、矩形容器２内のケーブル接続用端子１２，１３は、母線（ＢＵＳ）８の上下に配置している前記遮断器（ＣＢ）６の固定側端子６ｄにそれぞれ接続している。
なお、図に示すように主回路ケーブル１１をスイッチギヤ本体１の下方からスイッチギヤ本体１内に引込むときには、主回路ケーブル引込み口１４に近付いて配置したケーブル接続用端子１２を、主回路ケーブル引込み口から離れて配置したケーブル接続用端子１３より短くし、母線（ＢＵＳ）８の下方の主回路ケーブル接続部（ＣＨＤ）１５の後面１５ａと母線（ＢＵＳ）８の後面８ａがほぼ同じ奥行きにしている。
また、ケーブル接続用端子１２，１３の矩形容器２からの導出部には、３相のケーブル接続用端子１２，１３が個別に貫通する変流器（ＣＴ）１６および３相のケーブル接続用端子１２，１３が一括して貫通する零相変流器（ＺＣＴ）１７のいずれか一方または両方を、スイッチギヤの運用・保護方法に基づいて配置している。
【００１１】
（１Ａ）この発明による実施の形態１によれば、絶縁性ガスを封入した矩形容器２内に主回路機器を収納し、複数の矩形容器２を並べて配置し、各矩形容器２に収納された主回路機器を接続する母線（ＢＵＳ）８を有するスイッチギヤにおいて、矩形容器２の中央後面側に母線（ＢＵＳ）８を配置し、矩形容器２の前面側開口部に着脱自在に取付けたベース板３からなるベース部材の矩形容器２内に、母線（ＢＵＳ）８に対し上下に上下対称形になるように主回路機器が組付け可能であって前記主回路機器の主回路部の上方または下方の少なくともいずれか一方および両側方を覆う固体絶縁物からなる絶縁ホルダ７を設けたので、矩形容器２の中央後面側の矩形容器２外部に母線（ＢＵＳ）８を配置することによって、矩形容器２に母線（ＢＵＳ）８を配置するときに比べて矩形容器２の高さを低くすることができるとともに、矩形容器２後方のスペースを有効に活用することができ、スイッチギヤ内の機器の集積効率を向上できて、スイッチギヤの小形化が達成できるスイッチギヤを得ることができる。
すなわち、ＳＦ６，乾燥空気，窒素，二酸化炭素などの絶縁性ガスを封入した矩形容器２内に断路器（ＤＳ）４，接地開閉器（ＥＳ）５，点検用切り離し装置（ＲＬ）１９，遮断器（ＣＢ）６などの主回路機器を収納し、複数の矩形容器２を並べて配置し、各矩形容器２に収納された主回路機器を接続する母線（ＢＵＳ）８を有するスイッチギヤにおいて、矩形容器２の中央後面側に母線（ＢＵＳ）８を配置し、矩形容器２の前面側開口部に着脱自在に取付けたベース板３の矩形容器２内に、母線（ＢＵＳ）８に対し上下に上下対称形になるように断路器（ＤＳ）４，接地開閉器（ＥＳ）５，点検用切り離し装置（ＲＬ）１９，遮断器（ＣＢ）６，零相電圧検出器（ＺＰＤ）１７，避雷器（ＳＡＲ）３０［図５参照］，サージアブソーバ（ＳＡ）［実施の形態５参照］などの主回路機器を組付け可能な固体絶縁物からなる略筒状または上下いずれかに開いた略コの字形状の絶縁ホルダ７を取付けたことを特徴とするスイッチギヤスイッチギヤを構成している。
したがって、矩形容器２の中央後面側の矩形容器２外部に母線（ＢＵＳ）８を配置することによって、矩形容器２に母線（ＢＵＳ）８を配置するときに比べて矩形容器２の高さを低くすることができるとともに、矩形容器２２後方のスペースを有効に活用することができるので、スイッチギヤ内の機器の集積効率を向上でき、スイッチギヤの小形化が達成できる。
【００１２】
（１Ｂ）この発明による実施の形態１によれば、前記（１Ａ）項における構成において、矩形容器２の前面側開口部に着脱自在に取付けたベース板３からなるベース部材の矩形容器２内に取付けた固体絶縁物からなる前記絶縁ホルダ７内に、遮断器（ＣＢ）６，零相電圧検出器（ＺＰＤ）１７，避雷器（ＳＡＲ）３０［図５参照］，サージアブソーバ（ＳＡ）［実施の形態５参照］の内の少なくともいずれかの主回路部を配置したので、矩形容器２の中央後面側の矩形容器２外部に母線（ＢＵＳ）８を配置することによって、矩形容器２に母線（ＢＵＳ）８を配置するときに比べて矩形容器２の高さを低くすることができるとともに、矩形容器２後方のスペースを有効に活用することができ、固体絶縁物からなる前記絶縁ホルダ７内に、遮断器（ＣＢ）６，零相電圧検出器（ＺＰＤ）１７，避雷器（ＳＡＲ）３０［図５参照］，サージアブソーバ（ＳＡ）［実施の形態５参照］の内の少なくともいずれかの主回路部を配置することによりスイッチギヤ内の機器の集積効率を向上できて、スイッチギヤの小形化が達成できるスイッチギヤを得ることができる。
すなわち、前記（１Ａ）項に記載のスイッチギヤにおいて、矩形容器２の前面側開口部に着脱自在に取付けたベース板３の矩形容器２内に取付けた固体絶縁物からなる筒状または上下いずれかに開いた略コの字形状の絶縁ホルダ７内に、遮断器（ＣＢ）６，零相電圧検出器（ＺＰＤ）１７，避雷器（ＳＡＲ）３０［図５参照］，サージアブソーバ（ＳＡ）［実施の形態５参照］の内いずれか１つの主回路部を配置したことを特徴とするスイッチギヤを構成している。
したがって、矩形容器２の前面側開口部に着脱自在に取付けたベース板３の矩形容器２内に、母線（ＢＵＳ）８に対し上下に上下対称形になるように断路器（ＤＳ）４，接地開閉器（ＥＳ）５，点検用切り離し装置（ＲＬ）１８，遮断器（ＣＢ）６，零相電圧検出器（ＺＰＤ）１７，避雷器（ＳＡＲ）３０［図５参照］，サージアブソーバ（ＳＡ）［実施の形態５参照］などの主回路機器を組付け可能な固体絶縁物からなる略筒状または上下いずれかに開いた略コの字形状の絶縁ホルダ７を取付け、この絶縁ホルダ７内には、遮断器（ＣＢ）６，零相電圧検出器（ＺＰＤ）１７，避雷器（ＳＡＲ）３０［図５参照］，サージアブソーバ（ＳＡ）［実施の形態５参照］の内いずれか１つの主回路部を配置し、絶縁ホルダ７の母線（ＢＵＳ）８側に、遮断器（ＣＢ）６，零相電圧検出器（ＺＰＤ）１７，避雷器（ＳＡＲ）３０［図５参照］，サージアブソーバ（ＳＡ）［実施の形態５参照］などの主回路機器と母線（ＢＵＳ）８とを接離する３位置断路器（３Ｐ−ＤＳ）９，断路器（ＤＳ）４，点検用切り離し装置（ＲＬ）１９を設け、遮断器（ＣＢ）６，断路器（ＤＳ）４，接地開閉器（ＥＳ）５，３位置断路器（３Ｐ−ＤＳ）９，点検用切り離し装置（ＲＬ）１９などの操作装置を、上記ベース板３の矩形容器２外部に取付けることによって、ベース板３に主回路部を組付けた絶縁ホルダ７と操作装置を取付けた機器ユニットを上下反転させてまたは反転させずに矩形容器２に気密に組付けることによって容易に回路を構成できるので、機器ユニットの構造は機器ユニットを組付ける位置に関係なくなるので機器ユニットを標準化することができる。
【００１３】
（１Ｃ）この発明による実施の形態１によれば、前記（１Ａ）項または（１Ｂ）項における構成において、矩形容器２の前面側開口部に着脱自在に取付けたベース板３からなるベース部材の矩形容器２内に取付けた固体絶縁物からなる絶縁ホルダ７の母線（ＢＵＳ）８に近い側に、断路器（ＤＳ）４，接地開閉器（ＥＳ）５，点検用切り離し装置（ＲＬ）１８または断路器（ＤＳ）４と接地開閉器（ＥＳ）５を組合せた３位置断路器（３Ｐ−ＤＳ）９の内の少なくともいずれかを配置したので、矩形容器２の中央後面側の矩形容器２外部に母線（ＢＵＳ）８を配置することによって、矩形容器２に母線（ＢＵＳ）８を配置するときに比べて矩形容器２の高さを低くすることができるとともに、矩形容器２後方のスペースを有効に活用することができ、固体絶縁物からなる絶縁ホルダ７の母線（ＢＵＳ）８に近い側に、断路器（ＤＳ）４，接地開閉器（ＥＳ）５，点検用切り離し装置（ＲＬ）１８または断路器（ＤＳ）４と接地開閉器（ＥＳ）５を組合せた３位置断路器（３Ｐ−ＤＳ）９の内の少なくともいずれかを配置することによりスイッチギヤ内の機器の集積効率を向上できて、スイッチギヤの小形化が達成できるスイッチギヤを得ることができる。
ずなわち、前記（１Ａ）項または（１Ｂ）項に記載のスイッチギヤにおいて、矩形容器２の前面側開口部に着脱自在に取付けたベース板３の矩形容器２内に取付けた固体絶縁物からなる略筒状または上下いずれかに開いた略コの字形状の絶縁ホルダ７の母線（ＢＵＳ）８に近い側に、断路器（ＤＳ）４，接地開閉器（ＥＳ）５，点検用切り離し装置（ＲＬ）１９または断路器（ＤＳ）４と接地開閉器（ＥＳ）５を組合せた３位置断路器（３Ｐ−ＤＳ）９内いずれか１つを配置したことを特徴とするスイッチギヤを構成している。
【００１４】
（１Ｄ）この発明による実施の形態１によれば、前記（１Ａ）〜（１Ｃ）項のいずれかにおける構成において、スイッチギヤ本体１の底面部分に設けられた主回路ケーブル引込み口１４に近い絶縁ホルダ７の後方には、母線（ＢＵＳ）８とほぼ同じ奥行き寸法のケーブル接続部（ＣＨＤ）１５を配し、主回路ケーブル引込み口１４から遠い絶縁ホルダの後方には、母線（ＢＵＳ）８より後方に延びたケーブル接続部（ＣＨＤ）１５を配したので、矩形容器２の中央後面側の矩形容器２外部に母線（ＢＵＳ）８を配置することによって、矩形容器２に母線（ＢＵＳ）８を配置するときに比べて矩形容器２の高さを低くすることができるとともに、矩形容器２後方のスペースを有効に活用することができ、奥行寸法の異なるケーブル接続部（ＣＨＤ）１５を配設することによりスイッチギヤ内の機器の集積効率を向上できて、スイッチギヤの小形化が達成できるスイッチギヤを得ることができる。
ずなわち、前記（１Ａ）〜（１Ｃ）項のいずれかに記載のスイッチギヤにおいて、主回路ケーブル引込み口１４に近い絶縁ホルダ７の後方には、母線（ＢＵＳ）８とほぼ同じ奥行き寸法のケーブル接続部（ＣＨＤ）１５を配し、主回路ケーブル引込み口１４から遠い絶縁ホルダの後方には、母線（ＢＵＳ）８より後方に延びたケーブル接続部（ＣＨＤ）１６を配したことを特徴とするスイッチギヤを構成している。
したがって、矩形容器２後面の主回路ケーブル引込み口１４に近い絶縁ホルダ７の後方には、母線（ＢＵＳ）８とほぼ同じ奥行き寸法のケーブル接続部（ＣＨＤ）１５を配し、主回路ケーブル引込み口１４から遠い絶縁ホルダ７の後方には、母線（ＢＵＳ）８より後方に延びたケーブル接続部（ＣＨＤ）１５を配することによって、１つの矩形容器２に２つの回線に接続するケーブルが接続できるものとし、また、主回路ケーブル引込み口１４に近いケーブル接続部（ＣＨＤ）１５に先に主回路ケーブル１１を接続することによって、ケーブル接続の作業性を損なうことなく主回路ケーブル１１が接続できる。
【００１５】
（１Ｅ）この発明による実施の形態１によれば、前記（１Ａ）〜（１Ｄ）項のいずれかにおける構成において、前記矩形容器２の後面側の開口部に取付けたケーブル接続用端子１２，１３からなる主回路ケーブル接続用接続手段には、このケーブル接続用端子１２，１３からなる主回路ケーブル接続用接続手段に個別に貫装された変流器（ＣＴ）１６または３相の接続手段に共通に貫装された零相変流器（ＺＣＴ）１７の両方または何れか片方を設けたので、矩形容器２の中央後面側の矩形容器２外部に母線（ＢＵＳ）８を配置することによって、矩形容器２に母線（ＢＵＳ）８を配置するときに比べて矩形容器２の高さを低くすることができるとともに、矩形容器２後方のスペースを有効に活用することができ、奥行寸法の異なるケーブル接続部（ＣＨＤ）１５を配設することによりスイッチギヤ内の機器の集積効率を向上できて、スイッチギヤの小形化が達成できるとともに、簡潔な構成で電流検出ができ電流保護を遂行できるスイッチギヤを得ることができる。
すなわち、前記（１Ａ）〜（１Ｄ）項のいずれかの構成において、前記矩形容器の後面側の開口部に取付けたケーブル接続用端子１２，１３として構成される主回路ケーブル接続用ブッシングには、このブッシングを個別に貫通する変流器（ＣＴ）１６または３相の接続手段を共通して貫通する零相変流器（ＺＣＴ）１７の両方または何れか片方を設けたスイッチギヤが構成されている。
【００１６】
実施の形態２．
この発明による実施の形態２を図２に基づいて説明する。図２は実施の形態２におけるスイッチギヤの構成を示す側断面図である。
この実施の形態２において、ここで説明する特有の構成以外の構成については、先に説明した実施の形態１における構成と同一の構成内容を具備し、同様の作用を奏するものである。図中、同一符号は同一または相当部分を示す。
【００１７】
図２において、矩形容器２１は、矩形容器２１の中央に母線接続用端子１０を収納する母線室２１ａを配置し、母線室２１ａの上下に断路器（ＤＳ）４，接地開閉器（ＥＳ）５，遮断器（ＣＢ）６，３位置断路器（３Ｐ−ＤＳ）９を収納する機器室２１ｂを配置し、母線室２１ａと機器室２１ｂとの間に隔壁２１ｃを設け、母線室２１ａと機器室２１ｂの主回路間を区分する区分ブッシング１８を隔壁の一部に気密に取付け、区分ブッシング１８内には母線室２１ａと機器室２１ｂの主回路間を接続する接続導体１８ａを設けている。また、母線室２１ａ内の母線接続用端子１０と、機器室２１ｂ内の前記３位置断路器（３Ｐ−ＤＳ）９の固定側端子９ｄの間は、前記接続導体１８ａを介して接続している。
【００１８】
（２Ａ）この発明による実施の形態２によれば、実施の形態１における前記（１Ｂ）または（１Ｃ）項における構成において、前記矩形容器２１は、矩形容器２１の後面側に母線（ＢＵＳ）８を接続するブッシングを備えた母線室２１ａと、３位置断路器（３Ｐ−ＤＳ）９，断路器（ＤＳ）４，接地開閉器（ＥＳ）５，点検用切り離し装置（ＲＬ）１８および遮断器（ＣＢ）の少なくともいずれかの主回路機器を収納した機器室２１ｂに区分し、母線室２１ａと機器室２１ｂの間に区分ブッシング１８を介在しているので、矩形容器２１の中央後面側の矩形容器２１外部に母線（ＢＵＳ）８を配置することによって、矩形容器２１に母線（ＢＵＳ）８を配置するときに比べて矩形容器２１の高さを低くすることができるとともに、矩形容器２１後方のスペースを有効に活用することができ、スイッチギヤ内の機器の集積効率を向上できて、スイッチギヤの小形化が達成できるとともに、母線室２１ａと機器室２１ｂとを区分して事故時の安全を確保できるスイッチギヤを得ることができる。
すなわち、実施の形態１における（１Ｂ）または（１Ｃ）項に記載のスイッチギヤにおいて、矩形容器２１は、矩形容器２１の後面側に母線（ＢＵＳ）８を接続するブッシング１３を備えた母線室２１ａと、３位置断路器（３Ｐ−ＤＳ）９，断路器（ＤＳ）４，接地開閉器（ＥＳ）５，点検用切り離し装置（ＲＬ）１９および遮断器（ＣＢ）６などの主回路機器を収納した機器室２１ｂに区分し、母線室と機器室の間に区分ブッシングを介していることを特徴とするスイッチギヤを構成している。
したがって、矩形容器２１は、矩形容器２の１後面側に母線（ＢＵＳ）８を接続するブッシングを備えた母線室２１ａと、３位置断路器（３Ｐ−ＤＳ）９，断路器（ＤＳ）４，接地開閉器（ＥＳ）５，点検用切り離し装置（ＲＬ）１９および遮断器（ＣＢ）６などの主回路機器を収納した機器室２１ｂに区分し、母線室２１ａと機器室２１ｂ間の隔壁２１ｃには絶縁物中に接続導体を配した区分ブッシング１８を気密に取付け、母線室２１ａと機器室２１ｂの主回路部は区分ブッシング１８内に配した接続導体１８ａを介して接続することによって、３位置断路器（３Ｐ−ＤＳ）９，断路器（ＤＳ）４，接地開閉器（ＥＳ）５，点検用切り離し装置（ＲＬ）１９および遮断器（ＣＢ）６などの主回路機器部分での閃絡事故が矩形容器２１内で発生した際に、事故時のアークが母線（ＢＵＳ）８に至らないので、母線部分を継続して使用することができる。
【００１９】
実施の形態３．
この発明による実施の形態３を図３に基づいて説明する。図３は実施の形態３におけるスイッチギヤの構成を示す側断面図である。
この実施の形態３において、ここで説明する特有の構成以外の構成については、先に説明した実施の形態１または実施の形態２における構成と同一の構成内容を具備し、同様の作用を奏するものである。図中、同一符号は同一または相当部分を示す。
【００２０】
図３において、矩形容器２２は、矩形容器２２の中央に母線接続用端子１０と断路器（ＤＳ）４，接地開閉器（ＥＳ）５，３位置断路器（３Ｐ−ＤＳ）９，点検用切り離し装置（ＲＬ）１９を収納する母線室２２ａを配置し、母線室２２ａの上下に遮断器（ＣＢ）６，を収納する機器室２２ｂを配置し、母線室２２ａと機器室２２ｂとの間に隔壁２２ｃを設け、母線室２２ａと機器室２２ｂの主回路間を区分する区分ブッシング１８を隔壁の一部に気密に取付け、区分ブッシング１８内には母線室２２ａと機器室２２ｂの主回路間を接続する接続導体１８ａを設けている。また、母線室２２ａ内の前記３位置断路器（３Ｐ−ＤＳ）９の可動側端子９ｅと、機器室２２ｂ内の前記遮断器（ＣＢ）６の可動側端子６ｅの間は、前記接続導体１８ａを介して接続している。
【００２１】
（３Ａ）この発明による実施の形態３によれば、実施の形態１における前記（１Ｂ）または（１Ｃ）項における構成において、前記矩形容器２２は、矩形容器２２の後面側に母線（ＢＵＳ）８を接続するブッシングを備え、３位置断路器（３Ｐ−ＤＳ）８，断路器（ＤＳ）４，接地開閉器（ＥＳ）５および点検用切り離し装置（ＲＬ）１９の少なくともいずれかの主回路機器を収納した母線室２２ａと、遮断器（ＣＢ）６などの主回路機器を収納した機器室２２ｂに区分し、母線室２２ａと機器室２２ｂの間に区分ブッシング１８を介在しているので、矩形容器２２の中央後面側の矩形容器２２外部に母線（ＢＵＳ）８を配置することによって、矩形容器２２に母線（ＢＵＳ）８を配置するときに比べて矩形容器２の高さを低くすることができるとともに、矩形容器２２後方のスペースを有効に活用することができ、主回路機器を収納した母線室２２ａと他の主回路機器を収納した機器室２２ｂとを設けることによりスイッチギヤ内の機器の集積効率を向上できて、スイッチギヤの小形化が達成できるスイッチギヤを得ることができる。
すなわち、実施の形態１における前記（１Ｂ）または（１Ｃ）項に記載のスイッチギヤにおいて、矩形容器２２は、矩形容器２２の後面側に母線（ＢＵＳ）８を接続するブッシングを備え、３位置断路器（３Ｐ−ＤＳ）９，断路器（ＤＳ）４，接地開閉器（ＥＳ）５および点検用切り離し装置（ＲＬ）１９などの主回路機器を収納した母線室２２ａと、遮断器（ＣＢ）などの主回路機器を収納した機器室２２ｂに区分し、母線室２２ａと機器室２２ｂの間に区分ブッシング１８を介していることを特徴とするスイッチギヤを構成している。
したがって、矩形容器２２の後面側に母線（ＢＵＳ）８を接続するブッシングを備え、３位置断路器（３Ｐ−ＤＳ）９，断路器（ＤＳ）４，接地開閉器（ＥＳ）５および点検用切り離し装置（ＲＬ）１８などの主回路機器を収納した母線室２２ａと、遮断器（ＣＢ）などの主回路機器を収納した機器室２２ｂに区分し、母線室２２ａと機器室２２ｂ間の隔壁２２ｃには絶縁物中に接続導体１８ａを配した区分ブッシング１８を気密に取付け、母線室２２ａと機器室２２ｂの主回路部は区分ブッシング１８内に配した接続導体１８ａ介して接続することによって、遮断器（ＣＢ）６などの機器室２２ｂに収納した主回路機器部分での閃絡事故・故障の際に、事故時のアークが母線（ＢＵＳ）８に至らず、３位置断路器（３Ｐ−ＤＳ）９，断路器（ＤＳ）４および点検用切り離し装置（ＲＬ）１９を用いて、機器室内２２ｂに収納した主回路機器と母線（ＢＵＳ）８を切り離すことができ、尚且つ、接地開閉器（ＥＳ）５によって点検・取替え・改修が必要な機器室２２ｂ内の主回路の接地を行なうことができるので、母線（ＢＵＳ）８を運転した状態でも安全に作業を行なうことができる。
【００２２】
実施の形態４．
この発明による実施の形態４を図４に基づいて説明する。図４は実施の形態４におけるスイッチギヤの構成を示す側断面図である。
この実施の形態４において、ここで説明する特有の構成以外の構成については、先に説明した実施の形態１から実施の形態３までのいずれかにおける構成と同一の構成内容を具備し、同様の作用を奏するものである。図中、同一符号は同一または相当部分を示す。
【００２３】
図４において、矩形容器２３の後面２３ｂの母線（ＢＵＳ）８の上下には、矩形容器２３内に配置した絶縁ホルダ７のそれぞれの後方に、主回路ケーブル１１を接続するケーブル接続用端子１２，１３が矩形容器２３と絶縁して気密に取付けられ、矩形容器２３内のケーブル接続用端子１２，１３は、母線（ＢＵＳ）８の上下に配置している前記遮断器（ＣＢ）６の固定側端子６ｄにそれぞれ接続している。
なお、図に示すように主回路ケーブル１１をスイッチギヤ本体１の上方からスイッチギヤ本体１内に引込むときには、主回路ケーブル引込み口１４に近付いて配置したケーブル接続用端子１２を、主回路ケーブル引込み口から離れて配置したケーブル接続用端子１３より短くし、母線（ＢＵＳ）８の上方の主回路ケーブル接続部（ＣＨＤ）１５の後面１５ａと母線（ＢＵＳ）８の後面８ａがほぼ同じ奥行きにしている。
【００２４】
（４Ａ）この発明による実施の形態４によれば、実施の形態１から実施の形態３までのいずれかにおける構成において、スイッチギヤ本体１の上面部分に設けられた主回路ケーブル引込み口１４に近い絶縁ホルダ７の後方には、母線（ＢＵＳ）８とほぼ同じ奥行き寸法のケーブル接続部（ＣＨＤ）１５を配し、主回路ケーブル引込み口１４から遠い絶縁ホルダの後方には、母線（ＢＵＳ）８より後方に延びたケーブル接続部（ＣＨＤ）１５を配したので、矩形容器２３の中央後面側の矩形容器２３外部に母線（ＢＵＳ）８を配置することによって、矩形容器２３に母線（ＢＵＳ）８を配置するときに比べて矩形容器２３の高さを低くすることができるとともに、奥行寸法の異なるケーブル接続部（ＣＨＤ）１５を配設することにより矩形容器２３後方のスペースを有効に活用することができ、スイッチギヤ内の機器の集積効率を向上できて、スイッチギヤの小形化が達成できるスイッチギヤを得ることができる。
すなわち、実施の形態１から実施の形態３までのいずれかに記載のスイッチギヤにおいて、主回路ケーブル引込み口１４に近い絶縁ホルダ７の後方には、母線（ＢＵＳ）８とほぼ同じ奥行き寸法のケーブル接続部（ＣＨＤ）１５を配し、主回路ケーブル引込み口１４から遠い絶縁ホルダの後方には、母線（ＢＵＳ）８より後方に延びたケーブル接続部（ＣＨＤ）１５を配したことを特徴とするスイッチギヤを構成している。
したがって、矩形容器２３後面の主回路ケーブル引込み口１４に近い絶縁ホルダ７の後方には、母線（ＢＵＳ）８とほぼ同じ奥行き寸法のケーブル接続部（ＣＨＤ）１５を配し、主回路ケーブル引込み口１４から遠い絶縁ホルダ７の後方には、母線（ＢＵＳ）８より後方に延びたケーブル接続部（ＣＨＤ）１５を配することによって、１つの矩形容器２に２つの回線に接続するケーブル１１が接続できるものとし、また、主回路ケーブル引込み口に近いケーブル接続部（ＣＨＤ）１５に先に主回路ケーブル１１を接続することによって、ケーブル接続の作業性を損なうことなく主回路ケーブル１１が接続できる。
【００２５】
実施の形態５．
この発明による実施の形態５を図５に基づいて説明する。図５は実施の形態５におけるスイッチギヤの構成を示す側断面図である。
この実施の形態５において、ここで説明する特有の構成以外の構成については、先に説明した実施の形態１から実施の形態４までのいずれかにおける構成と同一の構成内容を具備し、同様の作用を奏するものである。図中、同一符号は同一または相当部分を示す。
【００２６】
図５において、矩形容器２４の前面２４ａの開口部に着脱自在に取付けたベース板３の矩形容器内側に、断路器（ＤＳ）４、接地開閉器（ＥＳ）５、遮断器（ＣＢ）６を組み付けできる絶縁ホルダ７を有しており、この絶縁ホルダ７は、矩形容器２４の中央後方に配置した母線（ＢＵＳ）８に対して、上下に上下対称形に配置している。
母線（ＢＵＳ）８の下方に配置した前記絶縁ホルダ７の内面には、ベース板３と絶縁して気密に着脱自在に取付けた避雷器（ＳＡＲ）３０を収納し、避雷器（ＳＡＲ）３０の接地端子３０ａはベース板３の前面側に導出している。また、避雷器（ＳＡＲ）３０を収納した絶縁ホルダ７の下方の矩形容器２４内には、計器用変圧器（ＶＴ）３１を配置し、計器用変圧器（ＶＴ）３１の低圧側端子は、ベース板３前面にベース板３と絶縁して気密に取付けた図示していない絶縁端子を用いてベース板３の前面に導出している。
また、避雷器（ＳＡＲ）３０と計器用変圧器（ＶＴ）３１の主回路側端子３０ｂ、３１ａを電気的に接続した。母線（ＢＵＳ）８の下方に配置した絶縁ホルダ７の母線（ＢＵＳ）８側には、避雷器（ＳＡＲ）３０と母線（ＢＵＳ）８の間を接離する点検用切り離し装置（ＲＬ）１９の主回路部１９ａを配置している。また、前記ベース板３には、点検用切り離し装置（ＲＬ）１９用の操作装置１９ｂを取付け、点検用切り離し装置（ＲＬ）１９の主回路部１９ａと操作装置部１９ｂはベース板３を気密に貫通した操作ロッド１９ｃによって連結している。
なお、絶縁ホルダ７の内面に収納された避雷器（ＳＡＲ）３０は、サージアブソーバ（ＳＡ）と置き換え、あるいは、併用することができる。
【００２７】
一方、矩形容器２４の後面側には、高さ方向の中央にスイッチギヤ本体１を左右に貫通するように母線（ＢＵＳ）８を配置し、母線（ＢＵＳ）８の下方の矩形容器２４の後面側には、第２の母線（ＢＵＳ）８１を接続する母線接続用端子１０が矩形容器２４と絶縁して気密に取付けられ、矩形容器２４内の母線接続用端子１０は、母線（ＢＵＳ）８の上下に配置している前記３位置断路器（３Ｐ−ＤＳ）９および点検用切り離し装置（ＲＬ）１９の固定側端子９ｄ，１９ｄにそれぞれ接続されている。
なお、複数の矩形容器を並べて配置し、その内いくつかの矩形容器の後方に突出した第２の母線（ＢＵＳ）８１を接続する母線接続用端子１０は、第２の母線（ＢＵＳ）８１によって連通するように接続している。また、前記第２の母線（ＢＵＳ）８１には、３相の第２の母線（ＢＵＳ）８１が個別に貫通する変流器（ＣＴ）１６および３相の第２の母線（ＢＵＳ）８１が一括して貫通する零相変流器（ＺＣＴ）１７のいずれか一方または両方を、スイッチギヤの運用・保護方法に基づいて配置している。
【００２８】
（５Ａ）この発明による実施の形態５によれば、実施の形態１における前記（１Ｂ）項および（１Ｃ）項ならびに実施の形態２における前記（２Ａ）項のいずれかにおける構成において、前記矩形容器２４の中央後面側に配置した母線（ＢＵＳ）８の下方または上方に、第２の母線（ＢＵＳ）８１を配置したので、矩形容器２４の中央後面側の矩形容器２外部に母線（ＢＵＳ）８を配置することによって、矩形容器２４に母線（ＢＵＳ）８を配置するときに比べて矩形容器２の高さを低くすることができるとともに、矩形容器２４後方のスペースを有効に活用することができ、第２の母線（ＢＵＳ）８１を配置してスイッチギヤ内の機器の集積効率を向上できて、スイッチギヤの小形化が達成できるスイッチギヤを得ることができる。
すなわち、実施の形態１における前記（１Ｂ）項および（１Ｃ）項ならびに実施の形態２における前記（２Ａ）項のいずれかに記載のスイッチギヤにおいて、前記矩形容器２の中央後面側に配置した母線（ＢＵＳ）８の下方または上方に、第２の母線（ＢＵＳ）８１を配置したことを特徴とするスイッチギヤが構成されている。
【００２９】
（５Ｂ）この発明による実施の形態５によれば、実施の形態１から実施の形態５までおよび実施の形態５における前記（５Ａ）のいずれかにおける構成において前記矩形容器２４の中央後面側に配置した母線（ＢＵＳ）８の上方に配置した遮断器（ＣＢ）６，零相電圧検出器（ＺＰＤ）１７，避雷器（ＳＡＲ）３０，サージアブソーバ（ＳＡ）［図示せず］の上方および／または下方に配置した遮断器（ＣＢ）６，零相電圧検出器（ＺＰＤ）１７，避雷器（ＳＡＲ）３０，サージアブソーバ（ＳＡ）［図示せず］の下方の矩形容器内に、計器用変圧器（ＶＴ）３１を配置したので、矩形容器２４の中央後面側の矩形容器２外部に母線（ＢＵＳ）８を配置することによって、矩形容器２４に母線（ＢＵＳ）８を配置するときに比べて矩形容器２４の高さを低くすることができるとともに、矩形容器２４後方のスペースを有効に活用することができ、スイッチギヤ内の機器の集積効率を向上できて、スイッチギヤの小形化が達成できるとともに、簡潔な構成で母線（ＢＵＳ）８またはケーブル部の高圧電圧を低圧に変換する手段を備えるスイッチギヤを得ることができる。
すなわち、実施の形態１から実施の形態５までおよび実施の形態５における前記（５Ａ）のいずれかに記載のスイッチギヤにおいて、矩形容器２４の中央後面側に配置した母線（ＢＵＳ）８の上方に配置した遮断器（ＣＢ），零相電圧検出器（ＺＰＤ）１７，避雷器（ＳＡＲ）３０，サージアブソーバ（ＳＡ）の上方およびまたは、下方に配置した遮断器（ＣＢ）６，零相電圧検出器（ＺＰＤ）１７，避雷器（ＳＡＲ）３０，サージアブソーバ（ＳＡ）［図示せず］の下方の矩形容器２４内に、計器用変圧器（ＶＴ）を配置したことを特徴とするスイッチギヤを構成している。
したがって、矩形容器２４の中央後面側に配置した母線（ＢＵＳ）８の上方に配置した遮断器（ＣＢ）６，零相電圧検出器（ＺＰＤ）１７，避雷器（ＳＡＲ）３０，サージアブソーバ（ＳＡ）［図示せず］の上方およびまたは、下方に配置した遮断器（ＣＢ）６，零相電圧検出器（ＺＰＤ）１７，避雷器（ＳＡＲ）３０，サージアブソーバ（ＳＡ）［図示せず］の下方の矩形容器２４内に、計器用変圧器（ＶＴ）を配置できるものとし、別の矩形容器を設けずに母線（ＢＵＳ）８またはケーブル部の高圧電圧を低圧に変換する手段を備えたものである。
【００３０】
実施の形態６．
この発明による実施の形態６を図６および図７に基づいて説明する。図６は実施の形態６におけるスイッチギヤの構成を示す正面図である。図７は実施の形態６におけるスイッチギヤの構成を示す側断面図である。
この実施の形態６において、ここで説明する特有の構成以外の構成については、先に説明した実施の形態１から実施の形態５までのいずれかにおける構成と同一の構成内容を具備し、同様の作用を奏するものである。図中、同一符号は同一または相当部分を示す。
【００３１】
図６および図７において、矩形容器２５の前面２５ａの開口部に着脱自在に取付けたベース板３の矩形容器内側に、断路器（ＤＳ）４、接地開閉器（ＥＳ）５、遮断器（ＣＢ）６を組み付けできる絶縁ホルダ７を有しており、この絶縁ホルダ７は、矩形容器２５の中央後方に配置した母線（ＢＵＳ）８に対して、上下に上下対称形に配置している。
また、矩形容器２５の側面２５ｃには、矩形容器２５内の母線（ＢＵＳ）８の上方に配置した絶縁ホルダ７の上方に、矩形容器２５内に収納できない例えば変圧器などの大きな主回路機器を大気中で接続する気中接続用端子３２が矩形容器２５と絶縁して気密に取付けられ、矩形容器２５内の気中接続用端子３２は、母線（ＢＵＳ）８の上方に配置している前記遮断器（ＣＢ）６の固定側端子６ｄに接続している。
なお、矩形容器２５内に収納できない例えば変圧器などの大きな主回路機器と気中接続用端子３２の気中側端子の接続は、変圧器などの大きな主回路機器を矩形容器に並べて配置して直接接続、矩形容器と離れた位置に配置してバスダクトを用いて接続、矩形容器と離れた位置に配置してケーブルを用いて接続するなどの手段があるが、この実施の形態６では、矩形容器２５に並べて配置して直接接続する構造を示している。
また、気中接続用端子３２の矩形容器２５からの導出部には、３相の気中接続用端子３２が個別に貫通する変流器（ＣＴ）１６および３相の気中接続用端子３２が一括して貫通する零相変流器（ＺＣＴ）１７のいずれか一方または両方を、スイッチギヤの運用・保護方法に基づいて配置している。
【００３２】
（６Ａ）この発明による実施の形態６によれば、実施の形態１から実施の形態５までのいずれかにおける構成において、前記矩形容器２５の中央後面側に配置した母線（ＢＵＳ）８の上方に配置した遮断器（ＣＢ）６の上方および／または下方に配置した遮断器（ＣＢ）の下方の矩形容器２５の左右いずれかの側面に、矩形容器２内の主回路部を矩形容器２と絶縁して矩形容器２５の外に導出する気中接続用端子３２からなる接続手段を備えたので、矩形容器２５の中央後面側の矩形容器２５外部に母線（ＢＵＳ）８を配置することによって、矩形容器２５に母線（ＢＵＳ）８を配置するときに比べて矩形容器２５の高さを低くすることができるとともに、矩形容器２５後方のスペースを有効に活用することができ、スイッチギヤ内の機器の集積効率を向上できて、スイッチギヤの小形化が達成できるとともに、矩形容器２５内に収納できない例えば変圧器などの大きな主回路機器との接続を行えるスイッチギヤを得ることができる。
ずなわち、実施の形態１から実施の形態５までのいずれかにおける構成のスイッチギヤにおいて、矩形容器２５の中央後面側に配置した母線（ＢＵＳ）８の上方に配置した遮断器（ＣＢ）６の上方およびまたは、下方に配置した遮断器（ＣＢ）６の下方の矩形容器２５の左右いずれかの側面に、矩形容器２５内の主回路部を矩形容器２５と絶縁して矩形容器２５の外に導出する気中接続用端子３２からなるブッシングを備えたことを特徴とするスイッチギヤを構成している。
したがって、矩形容器２５の中央後面側に配置した母線（ＢＵＳ）８の上方に配置した遮断器（ＣＢ）６の上方およびまたは、下方に配置した遮断器（ＣＢ）６の下方の矩形容器２５の左右いずれかの側面に、矩形容器２５内の主回路部を矩形容器２５と絶縁して矩形容器２５の外に導出するブッシングを備えることによって、変圧器などの矩形容器２５に収納できない大きな主回路機器と気中にて接続できる。
【００３３】
この発明による実施の形態では、矩形容器２，２１，２２，２３，２４，２５の中央後面側に母線（ＢＵＳ）８を配置し、矩形容器２，２１，２２，２３，２４，２５の前面側開口部に着脱自在に取付けたベース板３の矩形容器内に、母線（ＢＵＳ）８に対し上下に上下対称形になるように断路器（ＤＳ）４，接地開閉器（ＥＳ）５，点検用切り離し装置（ＲＬ）１９，遮断器（ＣＢ）６，零相電圧検出器（ＺＰＤ）１７，避雷器（ＳＡＲ）３０，サージアブソーバ（ＳＡ）［実施の形態５参照］などの主回路機器を組付け可能な固体絶縁物からなる略筒状または上下いずれかに開いた略コの字形状の絶縁ホルダ７を取付けた。
この絶縁ホルダ７内には、遮断器（ＣＢ）６，零相電圧検出器（ＺＰＤ）１７，避雷器（ＳＡＲ）３０，サージアブソーバ（ＳＡ）［実施の形態５参照］の内いずれか１つの主回路部を配置し、絶縁ホルダ７の母線（ＢＵＳ）８側に、遮断器（ＣＢ）６，零相電圧検出器（ＺＰＤ）１７，避雷器（ＳＡＲ）３０，サージアブソーバ（ＳＡ）［実施の形態５参照］などの主回路機器と母線（ＢＵＳ）８とを接離する断路器（ＤＳ）４または点検用切り離し装置（ＲＬ）１９を設け、断路器（ＤＳ）４は回路の接地を行なう接地開閉器（ＥＳ）５の機能を有する３位置断路器（３Ｐ−ＤＳ）９とすることができるものとした。
矩形容器２，２１，２２，２３，２４，２５後面の主回路ケーブル引込み口１４に近い絶縁ホルダ７の後方には、母線（ＢＵＳ）８とほぼ同じ奥行き寸法のケーブル接続部（ＣＨＤ）１５を配し、主回路ケーブル引込み口から遠い絶縁ホルダ７の後方には、母線（ＢＵＳ）８より後方に延びたケーブル接続部（ＣＨＤ）１５を配し、１つの矩形容器に２つの回線に接続するケーブル１１が接続できるものとした。また、主回路ケーブル接続部（ＣＨＤ）１５のブッシングには、このブッシングを個別に貫通する変流器（ＣＴ）１６または３相のブッシングを共通して貫通する零相変流器（ＺＣＴ）１７の両方または何れか片方を設けた。
また、矩形容器２５の中央後面側に配置した母線（ＢＵＳ）８の上方に配置した遮断器（ＣＢ）６の上方およびまたは、下方に配置した遮断器（ＣＢ）６の下方の矩形容器の左右いずれかの側面に、矩形容器２５内の主回路部を矩形容器２５と絶縁して矩形容器２５の外に導出するブッシングを備えた。
また、矩形容器２１は、矩形容器２１の後面側に母線（ＢＵＳ）８を接続するブッシングを備えた母線室２１ａと、３位置断路器（３Ｐ−ＤＳ）９，断路器（ＤＳ）４，接地開閉器（ＥＳ）５，点検用切り離し装置（ＲＬ）１９および遮断器（ＣＢ）６などの主回路機器を収納した機器室２１ｂに区分し、母線室２１ａと機器室２１ｂ間の隔壁２１ｃには絶縁物中に接続導体を配した区分ブッシング１８を気密に取付け、母線室２１ａと機器室２１ｂの主回路部は区分ブッシング１８内に配した接続導体１８ａを介して接続する。または、矩形容器２２の後面側に母線（ＢＵＳ）８を接続するブッシングを備え、３位置断路器（３Ｐ−ＤＳ）９，断路器（ＤＳ）４，接地開閉器（ＥＳ）５および点検用切り離し装置（ＲＬ）１９などの主回路機器を収納した母線室２２ａと、遮断器（ＣＢ）６などの主回路機器を収納した機器室２２ｂに区分し、母線室２２ａと機器室２２ｂ間の隔壁２１ｃには絶縁物中に接続導体を配した区分ブッシング１８を気密に取付け、母線室２２ａと機器室２２ｂの主回路部は区分ブッシング１８内に配した接続導体１８ａを介して接続することもできる構造とした。
一方、矩形容器２４の中央後面側に配置した母線（ＢＵＳ）８の上方に配置した遮断器（ＣＢ）６，零相電圧検出器（ＺＰＤ）１７，避雷器（ＳＡＲ）３０，サージアブソーバ（ＳＡ）［実施の形態５参照］の上方およびまたは、下方に配置した遮断器（ＣＢ）６，零相電圧検出器（ＺＰＤ）１７，避雷器（ＳＡＲ）３０，サージアブソーバ（ＳＡ）［実施の形態５参照］の下方の矩形容器２４内に、計器用変圧器（ＶＴ）３１を配置できるものとした。
【００３４】
以上説明したように、この発明による実施の形態におけるスイッチギヤによれば、次の（１）〜（１０）項に記載したような効果を奏することができる。
（１）  矩形容器２，２１，２２，２３，２４，２５の中央後面側の矩形容器２外部に母線（ＢＵＳ）８を配置することによって、矩形容器２，２１，２２，２３，２４，２５２に母線（ＢＵＳ）８を配置するときに比べて矩形容器２の高さを低くすることができるとともに、矩形容器２２後方のスペースを有効に活用することができるので、スイッチギヤ内の機器の集積効率を向上でき、スイッチギヤの小形化が達成できる。
（２）  矩形容器２，２１，２２，２３，２４，２５の前面側開口部に着脱自在に取付けたベース板３の矩形容器２内に、母線（ＢＵＳ）８に対し上下に上下対称形になるように断路器（ＤＳ）４，接地開閉器（ＥＳ）５，点検用切り離し装置（ＲＬ）１９，遮断器（ＣＢ）６，零相電圧検出器（ＺＰＤ）１７，避雷器（ＳＡＲ）３０，サージアブソーバ（ＳＡ）［実施の形態５参照］などの主回路機器を組付け可能な固体絶縁物からなる略筒状または上下いずれかに開いた略コの字形状の絶縁ホルダ７を取付け、この絶縁ホルダ７内には、遮断器（ＣＢ）６，零相電圧検出器（ＺＰＤ）１７，避雷器（ＳＡＲ）３０，サージアブソーバ（ＳＡ）［実施の形態５参照］の内いずれか１つの主回路部を配置し、絶縁ホルダ７の母線（ＢＵＳ）８側に、遮断器（ＣＢ）６，零相電圧検出器（ＺＰＤ）１７，避雷器（ＳＡＲ）３０，サージアブソーバ（ＳＡ）［実施の形態５参照］などの主回路機器と母線（ＢＵＳ）８とを接離する３位置断路器（３Ｐ−ＤＳ）９，断路器（ＤＳ）４，点検用切り離し装置（ＲＬ）を設け、遮断器（ＣＢ）６，断路器（ＤＳ）４，接地開閉器（ＥＳ）５，３位置断路器（３Ｐ−ＤＳ）９，点検用切り離し装置（ＲＬ）１９などの操作装置を、上記ベース板３の矩形容器２，２１，２２，２３，２４，２５外部に取付けることによって、ベース板３に主回路部を組付けた絶縁ホルダ７と操作装置を取付けた機器ユニットを上下反転させてまたは反転させずに矩形容器２，２１，２２，２３，２４，２５に気密に組付けることによって容易に回路を構成できるので、機器ユニットの構造は機器ユニットを組付ける位置に関係なくなるので機器ユニットを標準化することができる。
（３）  矩形容器２，２１，２３，２４後面の主回路ケーブル引込み口１４に近い絶縁ホルダ７の後方には、母線（ＢＵＳ）８とほぼ同じ奥行き寸法のケーブル接続部（ＣＨＤ）１５を配し、主回路ケーブル引込み口１４から遠い絶縁ホルダ７の後方には、母線（ＢＵＳ）８より後方に延びたケーブル接続部（ＣＨＤ）１５を配することによって、１つの矩形容器２，２１，２３，２４に２つの回線に接続するケーブル１１が接続できるものとし、また、主回路ケーブル引込み口１４に近いケーブル接続部（ＣＨＤ）１５に先に主回路ケーブル１１を接続することによって、ケーブル接続の作業性を損なうことなく主回路ケーブル１１が接続できる。
（４）  主回路ケーブル接続部（ＣＨＤ）１５のブッシングには、このブッシングを個別に貫通する変流器（ＣＴ）１６または３相のブッシングを共通して貫通する零相変流器（ＺＣＴ）１７の両方またはいずれか片方を設けることができる構造とすることによって、主回路ケーブル１１の張替えなどの際に変流器（ＣＴ）１６，零相変流器（ＺＣＴ）１７を取外す必要がないので、短時間に主回路ケーブル１１の張替えを行なうことができる。また、変流器（ＣＴ）１６，零相変流器（ＺＣＴ）１７の着脱に伴う破損、誤結線も発生しない。
（５）  矩形容器２５の中央後面側に配置した母線（ＢＵＳ）８の上方に配置した遮断器（ＣＢ）６の上方およびまたは、下方に配置した遮断器（ＣＢ）６の下方の矩形容器２５の左右いずれかの側面に、矩形容器２５内の主回路部を矩形容器２５と絶縁して矩形容器２５の外に導出するブッシングを備えることによって、変圧器などの矩形容器２５に収納できない大きな主回路機器と気中にて接続できる。
（６）  矩形容器２１は、矩形容器２１の後面側に母線（ＢＵＳ）８を接続するブッシングを備えた母線室２１ａと、３位置断路器（３Ｐ−ＤＳ）９，断路器（ＤＳ）４，接地開閉器（ＥＳ）５，点検用切り離し装置（ＲＬ）１９および遮断器（ＣＢ）６などの主回路機器を収納した機器室２１ｂに区分し、母線室２１ａと機器室２１ｂ間の隔壁２１ｃには絶縁物中に接続導体を配した区分ブッシング１８を気密に取付け、母線室２１ａと機器室２１ｂの主回路部は区分ブッシング１８内に配した接続導体１８ａを介して接続することによって、３位置断路器（３Ｐ−ＤＳ）９，断路器（ＤＳ）４，接地開閉器（ＥＳ）５，点検用切り離し装置（ＲＬ）１９および遮断器（ＣＢ）６などの主回路機器部分での閃絡事故が矩形容器２１内で発生した際に、事故時のアークが母線（ＢＵＳ）８に至らないので、母線部分を継続して使用することができる。
（７）  矩形容器２２の後面側に母線（ＢＵＳ）８を接続するブッシングを備え、３位置断路器（３Ｐ−ＤＳ）９，断路器（ＤＳ）４，接地開閉器（ＥＳ）５および点検用切り離し装置（ＲＬ）１９などの主回路機器を収納した母線室２２ａと、遮断器（ＣＢ）６などの主回路機器を収納した機器室２２ｂに区分し、母線室２２ａと機器室２２ｂ間の隔壁２２ｃには絶縁物中に接続導体１８ａを配した区分ブッシング１８を気密に取付け、母線室２２ａと機器室２２ｂの主回路部は区分ブッシング１８内に配した接続導体１８ａを介して接続することによって、遮断器（ＣＢ）６などの機器室に収納した主回路機器部分での閃絡事故・故障の際に、事故時のアークが母線（ＢＵＳ）８に至らず、３位置断路器（３Ｐ−ＤＳ）９，断路器（ＤＳ）４および点検用切り離し装置（ＲＬ）１９を用いて、機器室２２ｂ内に収納した主回路機器と母線（ＢＵＳ）８を切り離すことができ、尚且つ、接地開閉器（ＥＳ）５によって点検・取替え・改修が必要な機器室内の主回路の接地を行なうことができるので、母線（ＢＵＳ）８を運転した状態でも安全に作業を行なうことができる。
（８）  矩形容器２４の中央後面側に配置した母線（ＢＵＳ）８の上方に配置した遮断器（ＣＢ）６，零相電圧検出器（ＺＰＤ）１７，避雷器（ＳＡＲ）３０，サージアブソーバ（ＳＡ）［実施の形態５参照］の上方およびまたは、下方に配置した遮断器（ＣＢ）６，零相電圧検出器（ＺＰＤ）１７，避雷器（ＳＡＲ）３０，サージアブソーバ（ＳＡ）［実施の形態５参照］の下方の矩形容器２内に、計器用変圧器（ＶＴ）３１を配置できるものとし、別の矩形容器を設けずに母線（ＢＵＳ）８またはケーブル部の高圧電圧を低圧に変換する手段を備えたものである。
【図面の簡単な説明】
【００３５】
【図１】この発明による実施の形態１におけるスイッチギヤの構成を示す側断面図である。
【図２】この発明による実施の形態２におけるスイッチギヤの構成を示す側断面図である。
【図３】この発明による実施の形態３におけるスイッチギヤの構成を示す側断面図である。
【図４】この発明による実施の形態４におけるスイッチギヤの構成を示す側断面図である。
【図５】この発明による実施の形態５におけるスイッチギヤの構成を示す側断面図である。
【図６】この発明による実施の形態６におけるスイッチギヤの構成を示す正面図である。
【図７】この発明による実施の形態６におけるスイッチギヤの構成を示す側断面図である。
【符号の説明】
【００３６】
１  スイッチギヤ本体、２  矩形容器、２ａ  矩形容器の前面、２ｂ  矩形容器の後面、２１  矩形容器、２１ａ  母線室、２１ｂ  機器室、２１ｃ  隔壁、２２  矩形容器、２２ａ  母線室、２２ｂ  機器室、２２ｃ  隔壁、２３  矩形容器、２３ｂ  矩形容器の後面、２４  矩形容器、２５  矩形容器、２５ａ  矩形容器の前面、２５ｃ  矩形容器の側面、３  ベース板、４  断路器（ＤＳ）、５  接地開閉器（ＥＳ）、５ｄ  接地開閉器の接地端子、６  遮断器（ＣＢ）、６ａ  遮断器の主回路部、６ｂ  遮断器の操作装置、６ｃ  遮断器の操作ロッド、６ｄ  遮断器の固定側端子、６ｅ  遮断器の可動側端子、７  絶縁ホルダ、８  母線（ＢＵＳ）、８ａ  母線（ＢＵＳ）の後面、８１  第２の母線（ＢＵＳ）、９  ３位置断路器（３Ｐ−ＤＳ）、９ａ  ３位置断路器の主回路部、９ｂ  ３位置断路器の操作装置、９ｃ  ３位置断路器の操作ロッド、９ｄ  ３位置断路器の固定端子、９ｅ  ３位置断路器の可動側端子、１０  母線接続用端子、１１  主回路ケーブル、１２  ケーブル接続用端子（短尺）、１３  ケーブル接続用端子（長尺）、１４  主回路ケーブル引込み口、１５  主回路ケーブル接続部、１５ａ  主回路ケーブル接続部の後面、１６  変流器（ＣＴ）、１７  零相変流器（ＺＣＴ）、１８  区分ブッシング、１８ａ  接続導体、１９  点検用切り離し装置（ＲＬ）、１９ａ  点検用切り離し装置の主回路部、１９ｂ  点検用切り離し装置の操作装置、１９ｃ  点検用切り離し装置の操作ロッド、１９ｄ  点検用切り離し装置の固定側端子、３０  避雷器（ＳＡＲ）、３０ａ  避雷器の接地端子、３０ｂ  避雷器の主回路側端子、３１  計器用変圧器（ＶＴ）、３１ａ  計器用変圧器の主回路側端子、３２  気中接続用端子。
【図１】
0004744323.tif 000002
【図２】
0004744323.tif 000003
【図３】
0004744323.tif 000004
【図４】
0004744323.tif 000005
【図５】
0004744323.tif 000006
【図６】
0004744323.tif 000007
【図７】
0004744323.tif 000008